(57)【要約】【課題】車両を路面で走行させたときのタイヤ近傍での騒音の音源を精度良く特定する方法を提供する。【解決手段】走行している車両の車外においてタイヤから発生する騒音が測定され、その測定データに基づき前記騒音の音源が特定される音源探査方法において、タイヤと共に上下動する非回転部に取り付けられた騒音測定器で騒音が測定され、タイヤが路面の突起を乗り越えたことが、車両のいずれかの部分に取り付けられた検出器により検出され、騒音の測定データからタイヤが路面の突起を乗り越えたときのデータが除外され、除外後のデータが音源の特定に使用されることを特徴とする。【選択図】図３
2020098118.tif 000002
【特許請求の範囲】
【請求項１】
走行している車両の車外において、タイヤから発生する騒音が測定され、その測定データに基づき前記騒音の音源が特定される音源探査方法において、
タイヤと共に上下動する非回転部に取り付けられた騒音測定器で騒音が測定され、
タイヤが路面の突起を乗り越えたことが、車両のいずれかの部分に取り付けられた検出器により検出され、
騒音の測定データからタイヤが路面の突起を乗り越えたときのデータが除外され、除外後のデータが音源の特定に使用されることを特徴とする、音源探査方法。
【請求項２】
タイヤが路面の突起を乗り越えたことが、タイヤに負荷される荷重を測定する前記検出器としての荷重測定器により検出される、請求項１に記載の音源探査方法。
【請求項３】
タイヤが路面の突起を乗り越えたことが、路面までの距離を測定する前記検出器としての変位センサにより検出される、請求項１に記載の音源探査方法。
【請求項４】
前記騒音測定器の下端部が、タイヤの接地側部分の高さの半分より高く、タイヤの接地側部分におけるタイヤとリムとの境界より低い、請求項１〜３のいずれか１項に記載の音源探査方法。
【発明の詳細な説明】
【技術分野】
【０００１】
本発明は音源探査方法に関する。
【背景技術】
【０００２】
多数のマイクロホンが縦横に並んだマイクロホンアレイが知られている。特許文献１に記載のように、回転しているタイヤから発生する騒音の音圧をこのようなマイクロホンアレイで測定し、音響ホログラフィを用いて騒音の音源を特定することが行われている。特許文献１に記載のようにドラム上でタイヤを回転させて騒音の音圧を測定することだけでなく、タイヤが装着された車両を路面で走行させてタイヤ近傍での車外音の音圧を測定することも行われている。従来、このように車両を路面で走行させて車外音の音圧を測定する場合、延長部材を車両のボディに対して固定していた。
【先行技術文献】
【特許文献】
【０００３】
【特許文献１】特許第５０８９２５３号公報
【発明の概要】
【発明が解決しようとする課題】
【０００４】
しかし、ボディとタイヤとの間にはサスペンションが介在しているため、車両が加速したり、旋回したり、路面の突起を乗り越えたりするたびにボディとタイヤとの位置関係が変化してしまい、騒音の音源とマイクロホンアレイとの位置関係が変化してしまうという問題があった。また、タイヤが路面の突起を乗り越える時に音が発生し、その音圧をマイクロホンアレイが測定してしまうという問題もあった。これらのことから、従来の方法では、車両を路面で走行させたときのタイヤ近傍での騒音の音源を正確に特定することができなかった。
【０００５】
本発明は、以上の実情に鑑みてなされたものであり、車両を路面で走行させたときのタイヤ近傍での騒音の音源を精度良く特定する方法を提供することを課題とする。
【課題を解決するための手段】
【０００６】
実施形態の音源探査方法は、走行している車両の車外において、タイヤから発生する騒音が測定され、その測定データに基づき前記騒音の音源が特定される音源探査方法において、タイヤと共に上下動する非回転部に取り付けられた騒音測定器で騒音が測定され、タイヤが路面の突起を乗り越えたことが、車両のいずれかの部分に取り付けられた検出器により検出され、騒音の測定データからタイヤが路面の突起を乗り越えたときのデータが除外され、除外後のデータが音源の特定に使用されることを特徴とする。
【発明の効果】
【０００７】
上記の実施形態によれば、騒音測定器とタイヤとの位置関係が変化せず、またタイヤが路面の突起を乗り越えたときに発生した音のデータが除外されるので、騒音の音源が精度良く特定される。
【図面の簡単な説明】
【０００８】
【図１】音源探査装置の概念図。
【図２】マイクロホンアレイの正面図。
【図３】タイヤの前又は後ろに配置されたマイクロホンアレイをタイヤ前後方向から見た図。
【図４】タイヤの前又は後ろに配置されたマイクロホンアレイをタイヤの軸方向から見た図。
【図５】タイヤの横の接地部分近傍に配置されたマイクロホンアレイをタイヤの軸方向から見た図。
【図６】タイヤの横においてタイヤ全体をカバーするように配置されたマイクロホンアレイをタイヤの軸方向から見た図。
【図７】タイヤを前後方向から見た図。ホイールに非回転部が取り付けられたときの図。
【図８】音源探査方法のフローチャート。
【図９】音響ホログラフィ処理のイメージ図。
【発明を実施するための形態】
【０００９】
実施形態について図面に基づき説明する。なお、以下で説明する実施形態は一例に過ぎず、本発明の趣旨を逸脱しない範囲で適宜変更されたものについては、本発明の範囲に含まれるものとする。
【００１０】
＜実施形態の音源探査装置について＞
図１に、本実施形態の音源探査方法の実施に用いられる音源探査装置１０の一例を示す。音源探査装置１０は、騒音測定器として、騒音の音圧を測定するマイクロホンアレイ１２を有している。また、音源探査装置１０は、マイクロホンアレイ１２が接続された音響ホログラフィ装置１６と、音響ホログラフィ装置１６が接続されたコンピュータ１８と、コンピュータ１８での計算結果を出力するディスプレイ等の出力装置２０とを有している。さらに、音源探査装置１０は、タイヤに負荷される荷重を測定する荷重測定器２２を有している。荷重測定器２２はコンピュータ１８に接続されている。
【００１１】
図２に示すように、マイクロホンアレイ１２は多数の小マイクロホン１３が縦横に並んで構成されている。これらの小マイクロホン１３は１つの測定面を形成している。これらの小マイクロホン１３は同時に音圧を測定する。
【００１２】
マイクロホンアレイ１２はタイヤＴの接地部分Ｇから発生する騒音を測定できる場所に配置される。例えば、図３及び図４に示すようなタイヤＴの前又は後ろの場所や、図５及び図６に示すようなタイヤＴの横の場所に配置される。また、図３〜図５に示すように比較的小さなマイクロホンアレイ１２がタイヤＴの接地部分Ｇの近傍に配置されても良いし、図６に示すように比較的大きなマイクロホンアレイ１２がタイヤＴの全体をカバーするように配置されても良い。
【００１３】
暗騒音をできるだけ測定しないようにしつつタイヤＴの接地部分Ｇから発生する騒音を測定するために、マイクロホンアレイ１２の下端部１１ができるだけ低い位置に配置されることが好ましい。ただし、タイヤＴが撓んだときにマイクロホンアレイ１２の下端部１１が路面Ｓに当たらないように、マイクロホンアレイ１２の下端部１１が路面Ｓからある程度離れた位置に配置されることが好ましい。そのために、マイクロホンアレイ１２の下端部１１の高さは、図４に示すようにタイヤＴの接地側部分の高さＬの半分の位置Ｈより高く、タイヤＴとリムＲとの境界Ｂより低いことが好ましい。なおタイヤＴの接地側部分とは、言い換えれば、タイヤＴの回転軸の下方の部分のことである。
【００１４】
ここで、タイヤＴの接地側部分の高さＬとは、正規内圧（すなわちJATMA規格における「最高空気圧」、TRA規格における「TIRELOAD LIMITS AT VARIOUS COLD INFLATION PRESSURES」の最大値、又はETRTO規格における「INFLATION PRESSURE」）が充填されたタイヤＴが静止中の車両に装着されているときの、タイヤＴの接地部分ＧからタイヤＴのビートトウ先端までの高さのことである。また、リムＲとは正規リム（すなわち、JATMA規格における「標準リム」、TRA規格における「DesignRim」、又はETRTO規格における「MeasuringRim」）のことで、タイヤＴとリムＲとの境界Ｂとは図４のようにタイヤＴを横から見たときのタイヤＴとリムＲとの境界のことである。
【００１５】
また、タイヤＴの接地部分Ｇからマイクロホンアレイ１２の下端部１１までの直線距離は、例えば、評価しようとする周波数により決定される。一例としては、１６００Ｈｚ程度の周波数の音源を精度良く特定するために、タイヤＴの接地部分Ｇからマイクロホンアレイ１２の下端部１１までの距離が１００ｍｍ以上１５０ｍｍ以下に設定される。
【００１６】
マイクロホンアレイ１２は、タイヤＴと共に上下動する非回転部に取り付けられている。タイヤＴと共に上下動する非回転部とは、例えば、車両におけるサスペンション３５（図３参照）よりもタイヤＴ側の、回転しないいずれかの部分である。
【００１７】
図３では、タイヤＴと共に上下動する非回転部であるロアアーム３０（サスペンションアームとも称される）に、マイクロホンアレイ１２が取り付けられている。取り付けには固定具２４が使用されている。固定具２４は、ロアアーム３０からタイヤＴの接地部分Ｇ近傍まで延長された部材であり、一方の端部がロアアーム３０に固定され、他方の端部にマイクロホンアレイ１２が固定されている。
【００１８】
タイヤＴと共に上下動する非回転部としては、他に、ナックル３１やダンパーフォーク３２が挙げられる。また、図７に示すように、ホイール３３の車両外側面にホイール３３と一体となって回転する回転部材２７が取り付けられ、回転部材２７の車両外側部分にベアリングを介して非回転部材２９が設けられ、この非回転部材２９がタイヤＴと共に上下動する非回転部となっていても良い。なおこの非回転部材２９は回転部材２７と一体となって回転しないように車両のいずれかの部分に対して固定されている。以上に例示したタイヤＴと共に上下動する非回転部に、固定具２４を介して、マイクロホンアレイ１２が取り付けられる。
【００１９】
なお、固定具２４だけではマイクロホンアレイ１２の姿勢が不安定になる場合は、補助的な部材がマイクロホンアレイ１２と車両のいずれかの部分とを連結し、マイクロホンアレイ１２の姿勢を安定化させても良い。
【００２０】
音響ホログラフィ装置１６は、マイクロホンアレイ１２から音圧の測定データを取り込み、後述する音響ホログラフィの処理を行って、タイヤＴの接地部分Ｇにおける音圧分布を計算する。また、コンピュータ１８は、接続されている音響ホログラフィ装置１６の制御を行う。そして、音響ホログラフィ装置１６が求めたタイヤＴの接地部分Ｇにおける音圧分布を、出力装置２０へ出力する。
【００２１】
荷重測定器２２としては例えばロードセルが使用される。荷重測定器２２は、タイヤＴに負荷される荷重を測定できる場所、例えば車軸３４に取り付けられている。タイヤＴが路面Ｓの突起を乗り越えるとタイヤＴに負荷がかかるので、荷重測定器２２によりタイヤＴが路面Ｓの突起を乗り越えたことを検出することができる。
【００２２】
＜実施形態の音源探査方法について＞
本実施形態の音源探査方法の大まかな流れを図８に示す。まず、車両が走行を開始し（Ｓ１）、それに伴ってタイヤＴが路面Ｓ上で転動し始める。タイヤＴが路面Ｓ上で転動すると騒音が発生する。次に、マイクロホンアレイ１２により騒音の音圧が測定される（Ｓ２）。次に、音圧の測定データに基づき、音響ホログラフィを利用してタイヤＴの接地部分Ｇにおける音圧分布が計算される（Ｓ３）。次に、タイヤＴの接地部分Ｇにおける音圧分布に基づき、音源が特定される（Ｓ４）。
【００２３】
上記のステップＳ１及びＳ２において、車両が走行中に加速したり、旋回したり、路面Ｓの突起を乗り越えたりしても、マイクロホンアレイ１２はタイヤＴと共に上下動する非回転部に取り付けられているため、マイクロホンアレイ１２とタイヤＴとの位置関係は変わらない。また、タイヤＴが突起を乗り越えると、そのことが荷重測定器２２により検出される。マイクロホンアレイ１２による音圧の測定と荷重測定器２２による荷重の測定は同時平行で行われており、音圧の測定データも荷重の測定データも時系列のデータとして収録されるため、音圧の測定データと荷重の測定データとは時間軸で紐付けされる。
【００２４】
次のステップＳ３では、まず、音圧の測定データから、タイヤＴが突起を乗り越えたときの測定データが除外される。具体的には、車両の走行中に荷重測定器２２が測定した測定データの中に、所定の基準値以上の測定値が存在する場合は、その基準値以上の測定値を測定している間にタイヤＴが突起を乗り越えていたと判断される。なお上記の「所定の基準値」はあらかじめ設定されている。そして、音圧の測定データ全体の中から、タイヤＴが突起を乗り越えていたときの測定データだと判断された部分が除外される。
【００２５】
次に、タイヤＴが突起を乗り越えていたときの測定データが除外された後の音圧の測定データに基づき、音響ホログラフィ処理が行われる。音響ホログラフィ処理では、既に確立されているＮＡＨ（Near Field Acoustic Holography：近距離場音響ホログラフィ）法等が利用される。図９のイメージ図に基づき簡単に説明すると、測定面における音圧の分布p(x,y,z1)のフーリエ変換P(kx,ky,z1)と、音源面から測定面までの伝達関数Hの逆特性H-1とから、音源面での音圧の分布p(x,y,0)が計算される。本実施形態では、マイクロホンアレイ１２により測定された音圧分布から、タイヤＴの接地部分Ｇを含む面における音圧分布が求められる。この音圧分布は、全ての周波数の音について求めることが可能だが、注目する特定の周波数の音についてのみ求められても良い。
【００２６】
次の音源の特定のステップＳ４では、タイヤＴの接地部分Ｇを含む面における音圧分布において最も音圧の高い部分が、その周波数の騒音の音源として特定される。騒音の音源として、例えば、トレッド面におけるいずれかの溝又はサイプが特定される。なお、音源の特定は、人が音圧分布を見て行っても良いし、コンピュータ１８が行っても良い。タイヤＴの設計者は、音源の特定の結果をもとに、タイヤＴのトレッドパターンの設計変更を行うことができる。
【００２７】
＜実施形態の効果について＞
本実施形態によれば、騒音測定器としてのマイクロホンアレイ１２がタイヤＴと共に上下動する非回転部に取り付けられている。そのため、車両が加速したり、旋回したり、実路面Ｓの突起を乗り越えたりしても、マイクロホンアレイ１２とタイヤＴとの位置関係が変化しない。
【００２８】
さらに、タイヤＴが路面Ｓの突起を乗り越えたことが検出され、その検出されたときの音圧の測定データが、音圧の測定データ全体の中から除外される。そのため、タイヤＴが路面Ｓの突起を乗り越えた時に発生した音のデータ（すなわちノイズ）が除外された形で音源の特定が行われる。
【００２９】
これらのことから本実施形態によれば騒音の音源が精度良く特定される。
【００３０】
＜実施形態の変更例について＞
上記実施形態のマイクロホンアレイ１２の代わりに、別の騒音測定器が使用されても良い。
【００３１】
例えば、上記実施形態のマイクロホンアレイ１２の位置に、マイクロホンアレイ１２の代わりに複数の独立したマイクロホンが任意に並べられて、それらのマイクロホンが音圧を同時に測定し、それによってマイクロホンアレイ１２で測定したときと同様の測定データを取得しても良い。その場合に使用されるマイクロホンとしては、例えば、先端の測定部の直径が例えば０．８ｍｍ〜１．２ｍｍのプローブマイクロホン、１／２、１／４もしくは１／８インチマイクロホン（すなわち先端の測定部の直径が１／２、１／４もしくは１／８インチのマイクロホン）、又はＭＥＭＳ（Micro-Electrical-MechanicalSystems）マイクロホンが挙げられる。
【００３２】
また、上記実施形態のマイクロホンアレイ１２の位置に、マイクロホンアレイ１２の代わりに音響インテンシティマイクロホンが設けられても良い。なお音響インテンシティマイクロホンが使用される場合は、既知のインテンシティマッピングにより音源が特定される。
【００３３】
これらの変更例のように複数のマイクロホン又は音響インテンシティマイクロホンが騒音測定器として使用される場合も、その騒音測定器は上記実施形態と同様にしてタイヤと共に上下動する非回転部に取り付けられる。
【００３４】
また、上記実施形態の荷重測定器２２の代わりに、タイヤが路面の突起を乗り越えたことを検出する別の検出器が使用されても良い。そのような検出器は上記実施形態と同様に車両のいずれかの部分に取り付けられている。
【００３５】
例えば、タイヤと共に上下動する非回転部に検出器としての変位センサが取り付けられ、車両の走行中、その変位センサが路面から変位センサまでの距離を継続して測定していても良い。タイヤが路面の突起を乗り越えるとタイヤが撓むため、変位センサの測定値が変化する。それにより、タイヤが路面の突起を乗り越えたことが検出される。
【００３６】
また、以上の実施形態や変更例の音源探査方法を実施することを前提とした上で、さらに車両の走行状態や走行場所を検出し、マイクロホンアレイ１２等の騒音測定器による測定データと関連付けることにより、車両の走行状態や走行場所と騒音の音源との関係を特定することもできる。
【００３７】
例えば、車両の走行中に、騒音測定器による騒音の測定と同時に、走行状態（例えば、車両の速度、車両の加速度、タイヤの前後力、タイヤのトルク、タイヤの横力、タイヤのスリップ角、タイヤの旋回状態、又は操舵角）が測定される。騒音の測定データと走行状態の測定データとは時間軸で紐付けされるので、特定の走行状態のときの騒音の測定データに基づき、その走行状態のときの音源が特定される。なお、車両の加速度については、車両の速度、タイヤの前後力、タイヤのトルク等に基づき把握することもできる。また、タイヤの旋回状態については、車両の速度、タイヤの横力、タイヤのスリップ角、操舵角等に基づき把握することができる。
【００３８】
また別の例では、車両の走行中に、騒音測定器による騒音の測定と同時に、ＧＰＳにより走行位置が連続的に検出される。そして、特定の道路を走行したときの騒音の測定データに基づき、その道路を走行したときの音源が特定される。走行した道路の路面状態が明らかになっている場合は、路面状態と騒音の音源との関連についても特定することができる。
【符号の説明】
【００３９】
Ｂ…タイヤとリムとの境界、Ｇ…接地部分、Ｈ…タイヤの接地側部分の高さの半分の位置、Ｒ…リム、Ｓ…路面、Ｔ…タイヤ、１０…音源探査装置、１１…マイクロホンアレイの下端部、１２…マイクロホンアレイ、１３…小マイクロホン、１６…音響ホログラフィ装置、１８…コンピュータ、２０…出力装置、２２…荷重測定器、２４…固定具、２７…回転部材、２９…非回転部材、３０…ロアアーム、３１…ナックル、３２…ダンパーフォーク、３３…ホイール、３４…車軸、３５…サスペンション
【図１】
2020098118.tif 000003
【図２】
2020098118.tif 000004
【図３】
2020098118.tif 000005
【図４】
2020098118.tif 000006
【図５】
2020098118.tif 000007
【図６】
2020098118.tif 000008
【図７】
2020098118.tif 000009
【図８】
2020098118.tif 000010
【図９】
2020098118.tif 000011